(57)【要約】【課題】  本発明の目的は、デジタル画像に付加された位置情報から地名やランドマーク名などのテキストデータを取得し、デジタル画像に合成して印刷を行うことができるダイレクトプリンタを提供することである。さらに、位置情報に対応した任意のテキストデータを登録することができ、より分かりやすい位置情報のコメントを付加することができるダイレクトプリンタを提供することである。【解決手段】  ダイレクト印刷する画像データのＥｘｉｆ情報よりＧＰＳ情報を取得し、ネットワークを介して撮影場所情報を取得する。その撮影場所情報をダイレクトプリントする際に画像内もしくは裏面にプリントする。【選択図】        図１
2006148538.tif 000002
【特許請求の範囲】
【請求項１】
着脱可能な記憶媒体からデジタル画像を読み出してプリントを行うダイレクトプリンタにおいて、
着脱可能な記憶媒体からデジタル画像を読み出す読み出し手段と、
読み出したデジタル画像に付加された位置情報から撮影場所情報のテキストデータを取得する取得手段と、
読み出したデジタル画像と取得した撮影場所情報のテキストデータを合成する合成手段と、
を備えることを特徴とするダイレクトプリンタ。
【請求項２】
前記ダイレクトプリンタは、さらに、
ユーザが撮影場所情報のテキストデータを入力できる入力手段と、
デジタル画像に付加された位置情報と入力した撮影場所情報のテキストデータを関連付けて記憶する記憶手段と、
を備えることを特徴とする請求項１に記載のダイレクトプリンタ。
【請求項３】
前記ダイレクトプリンタは、さらに、
取得された撮影場所情報のテキストデータを表示する表示手段と、
表示されたテキストデータからプリントする部分をユーザが選択できるテキストデータ選択手段と、
を備えることを特徴とする請求項１に記載のダイレクトプリンタ。
【請求項４】
前記ダイレクトプリンタは、さらに、
撮影場所情報のテキストデータの配置場所をユーザが選択できる配置場所選択手段と、
を備えることを特徴とする請求項１に記載のダイレクトプリンタ。
【発明の詳細な説明】
【技術分野】
【０００１】
本発明は、デジタル画像が記録されたメモリカードから、任意のデジタル画像を読み出し、プリントを行うダイレクトプリンタに関するものである。
【背景技術】
【０００２】
従来、デジタルカメラ等で撮影したデジタル画像をプリンタでプリントするためには、ＰＣ上のハードディスクにデジタル画像を保存後、ＰＣ上のソフトウエアを用いてそれを閲覧、編集、プリントする方法が一般的であった。
【０００３】
また昨今のプリンタでは、デジタルカメラ等で使用するメモリカードを挿入するためのカードスロットと、ユーザからの印刷設定の指示を受け取るための操作パネルとを備え、ＰＣと接続することなくプリンタ単体でメモリカードのデジタル画像をプリントする機能（いわゆるダイレクトプリント機能）を有するものがある。
【０００４】
またデジタルカメラ等で撮影されたデジタル画像は、デジタルカメラ用の画像ファイルの規格であるＥｘｉｆフォーマットで保存されており、ＧＰＳ（全地球測位システム）装置を内蔵したデジタルカメラで撮影すれば、付加情報として、緯度・経度などの位置情報を記録することができる。
【０００５】
このような位置情報が付加されたデジタル画像をプリントする際、印刷面に位置情報に応じたコメント（例えば、「撮影場所：浅草にて」等）をプリントしたいという欲求がある。
【０００６】
しかしながら、従来のダイレクトプリンタでは、ＰＣ上のハードディスクにデジタル画像を保存後、ＰＣ上のソフトウエアやネットワーク上のデータベースを用いて、デジタル画像に付加された位置情報（緯度・経度）から詳細な位置情報を取得し、画像編集ソフトウエアなどを用い、取得した位置情報をデジタル画像上に合成してプリントするという操作が必要であり、非常に複雑で容易にできるものではなかった。
【０００７】
そこで、上記問題を解決するために、特許文献１では、デジタル画像に付加された位置情報から地図画像情報を検索し、デジタル画像と地図画像情報を１つの画像に合成する画像処理装置が提案されている。
【特許文献１】特開２００１−２６６１６９号公報
【発明の開示】
【発明が解決しようとする課題】
【０００８】
しかしながら、特許文献１の画像処理装置では、デジタル画像と地図画像情報を合成して印刷するため、出力するデジタル画像が見難くなってしまう。また、地図情報だと場所が分かり難くなるという問題点もある。また、地図画像という性格上、画像処理装置内部に内蔵することはコストがかかってしまうという問題点もある。
【０００９】
本発明は、上記の問題点を解決するためになされたもので、本発明の目的は、デジタル画像に付加された位置情報から地名やランドマーク名などのテキストデータを取得し、デジタル画像に合成して印刷を行うことができるダイレクトプリンタを提供することである。さらに、位置情報に対応した任意のテキストデータを登録することができ、より分かりやすい位置情報のコメントを付加することができるダイレクトプリンタを提供することである。
【課題を解決するための手段】
【００１０】
本発明は、デジタル画像が記録されたメモリカードから、任意のデジタル画像を読み出し、プリントを行うダイレクトプリンタに関するものであり、メモリカードからデジタル画像を読み出す読み出し手段と、読み出したデジタル画像に付加された位置情報から撮影場所情報のテキストデータを取得する取得手段と、読み出したデジタル画像と取得した撮影場所情報のテキストデータを合成する合成手段を備えることを特徴とするダイレクトプリンタである。
【００１１】
さらに、ユーザが撮影場所情報のテキストデータを入力できる入力手段と、デジタル画像に付加された位置情報と入力した撮影場所情報のテキストデータを関連付けて記憶する記憶手段とを備えることを特徴とするダイレクトプリンタである。
【００１２】
さらに、取得された撮影場所情報のテキストデータを表示する表示手段と、表示されたテキストデータからプリントする部分をユーザが選択できるテキストデータ選択手段とを備えることを特徴とするダイレクトプリンタである。
【００１３】
さらに、撮影場所情報のテキストデータの配置場所をユーザが選択できる配置場所選択手段とを備えることを特徴とするダイレクトプリンタである。
【発明の効果】
【００１４】
本発明のダイレクトプリンタによれば、デジタル画像が記録されたメモリカードから、任意のデジタル画像を読み出し、プリントを行うダイレクトプリントにおいて、読み出したデジタル画像に付加された位置情報から撮影場所情報のテキストデータを取得し、読み出したデジタル画像と取得した撮影場所情報のテキストデータを合成することで、撮影場所情報を含んだ印刷を容易に可能となる。
【００１５】
また、ユーザが撮影場所情報のテキストデータを入力できるようにし、デジタル画像に付加された位置情報と入力した撮影場所情報のテキストデータを関連付けて記憶することにより、より分かりやすい撮影場所情報を含んだ印刷が可能となる。
【００１６】
また、撮影場所情報のテキストデータを表示し、表示されたテキストデータからプリントしたい部分をユーザが選択できるようにすることで、より分かりやすい撮影場所情報を含んだ印刷が可能となる。
【００１７】
また、撮影場所情報のテキストデータの配置場所をユーザが選択できるようにすることにより、より分かりやすい撮影場所情報を含んだ印刷が可能となる。
【発明を実施するための最良の形態】
【００１８】
以下本発明を実施するための最良の形態を、実施例により詳しく説明する。
【実施例】
【００１９】
図１は、本発明の一実施形態を示すダイレクトプリンタの一例を示す図であり、デジタルカメラ等に装着されるメモリカードに記憶された所定の規格の画像データを読み出して直接印刷するダイレクトプリント機能を備えたインクジェットプリンタの場合に対応する。
【００２０】
図１に示すプリンタ１００において、１０１はメモリカードスロットで、図示しないデジタルカメラで撮影された画像が記憶されたコンパクトフラッシュ（登録商標）等のメモリカードが挿入される。１０２は操作パネルで、各種操作キーが配設され、液晶パネル１０３に表示される画像や操作画面、印刷設定画面に従って各種操作キーを指示することにより、画像選択、画像操作、印刷設定、印刷指示を行うことが可能に構成されている。
【００２１】
上記プリンタ１００はデジタルカメラで撮影した画像データの記録されたメモリカードをメモリカードスロット１０１に挿入した場合に、操作パネル１０２で印刷設定を行い、メモリカード上の画像データを印刷することが可能であり、ＰＣを用いずともプリンタ単体で画像データを指定した用紙、レイアウト、品位等で印刷することができる。なお、以降プリンタ単体での印刷処理をダイレクトプリントと呼ぶ場合がある。
【００２２】
以下、本実施形態のダイレクトプリンタの詳細について説明する。
【００２３】
図２は、本発明の一実施形態を示すダイレクトプリンタにおける構成を説明するブロック図であり、プリンタ２００の基本的な構成例に対応する。
【００２４】
図２において、プリンタ２００は、データや命令を演算、判断、制御する中央演算処理装置（ＣＰＵ）２０１と、ＰＣとの通信を行うための通信インタフェース２０２と、各種データの一時記憶領域およびプリントバッファとして用いるためのＲＡＭ２０３と、オペレーティングシステムやその他の制御プログラムの読み出し専用記憶領域であるＲＯＭ２０４と、プリンタエンジン情報や後述するユーザ登録撮影場所情報等の記憶領域として用いる不揮発性メモリ（ＥＥＰＲＯＭ）２０５と、ＬＦモータ、キャリッジモータ、プリントヘッドや各種センサを含むプリンタエンジン２０６と、電源投入、画像表示、画像指定、各種印刷設定、後述する撮影場所情報の選択および入力等に用いる各種ボタンやＬＥＤ、液晶パネルから構成される操作パネル２０８および操作パネルコントローラ２０７と、メモリカードから画像データを読み出すためのメモリカードコントローラ２０９と、画像処理用ＡＳＩＣ等から構成される画像処理コントローラ２１０と、位置情報（緯度・経度）から地名やランドマーク名などを検索する位置情報データベース２１１とから構成される。なお、２１２はシステムバスである。
【００２５】
図３は、図２に示したプリンタにおけるデータ処理構成を示すブロック図である。図３において、プリンタ３００は一般的なパーソナルコンピュータからの印刷機能およびプリンタ単独でメモリカード上の画像データを印刷するダイレクトプリント機能を備えるものである。
【００２６】
通信インタフェース部３０１は、ＵＳＢ等の外部インタフェースを制御し、パーソナルコンピュータ等の外部装置とのデータのやり取りを行う。
【００２７】
通信インタフェース部３０１において、外部装置より印刷データを受信した場合は、プリンタコントローラ部３０２において、受信した印刷コマンドに従って印刷データを生成し、プリンタエンジン部３０３において印刷処理を実行する。また、プリンタエンジン部３０３は、ダイレクトプリント時にはダイレクトプリントコントローラ部３０４で生成した印刷データを用いて印刷処理を実行する。
【００２８】
また、プリンタ３００は、ユーザインタフェースとして各種ボタンとＬＥＤ、液晶パネルからなる操作パネル２０８を備え、操作パネルコントローラ部３０６において、各種ボタンやＬＥＤ、液晶パネルを制御する。
【００２９】
メモリカードコントローラ部３０５は、メモリカードスロットに挿入されたメモリカードから画像データの読み出しを行う。また、画像データに付加された位置情報の読み出しも行う。
【００３０】
位置情報検索部３０７は、画像データに位置情報が付加されている場合、メモリカードコントローラ部３０５で読み出された位置情報を元に位置情報データベース３０８より地名やランドマーク名などの撮影場所情報を取得する。また、撮影場所情報登録部３０９より、読み出された位置情報に対応した撮影場所登録情報が存在するか検索し、存在する場合は撮影場所情報を取得する。
【００３１】
また、撮影場所情報登録部３０９は、操作パネルコントローラ部３０６において入力された文字情報を、画像データの位置情報と関連付けて、不揮発性メモリ（ＥＥＰＲＯＭ）２０５にユーザ登録撮影場所情報として記憶させる。
【００３２】
ダイレクトプリントコントローラ部３０４は、操作パネル２０８で印刷開始ボタンが指示されたとき、操作パネル２０８で設定された選択画像情報や用紙設定情報等に基づき、メモリカードコントローラ部３０５から選択された画像データを取得して印刷データを生成する。このとき、ダイレクトプリントコントローラ部３０４は、メモリカードコントローラ部３０５から読み出された画像データと位置情報検索部３０８で取得した撮影場所情報から印刷データを生成する。
【００３３】
本実施形態の画像データは、例えばデジタルカメラで撮影したデジタル画像データであり、デジタルカメラ用の画像ファイルの規格であるＥｘｉｆフォーマットで保存されており、ＧＰＳ（全地球測位システム）の緯度経度情報などのためのディレクトリ・タグが定義されている。ＧＰＳ装置を内蔵したデジタルカメラで撮影すれば、緯度・経度などの位置情報を記録することができる。
【００３４】
なお、本実施形態のダイレクトプリンタでは、位置情報データベース３０８は、プリンタ本体に内蔵されている構成になっているが、例えば、インターネット上のＷＷＷサーバーとして、プリンタの外部に持つ構成にすることも可能であり、その場合は、さらに、外部データベースとのインタフェース部（ネットワーク通信部）を備えればよい。
【００３５】
図４は、図１に示したプリンタ２００の操作パネル２０２の詳細構成を説明する平面図である。
【００３６】
図４に示す操作パネル４００において、４０１は電源キーで、プリンタの電源オン・オフする際に指示される。
【００３７】
４０２は選択決定ボタンで、液晶パネル４０６に表示される各種項目を選択・決定する際や、液晶パネル４０６に表示される画像データを閲覧する際に指示される。また、後述する撮影場所情報のテキストデータからプリントする部分を選択する際や、撮影場所情報のテキストデータの配置場所を選択する際や、撮影場所情報のテキストデータを入力する際にも指示される。
【００３８】
４０３は印刷開始ボタンで、ダイレクトプリントの開始の際に指示される。印刷開始ボタン４０３が指示されると、メニューボタン４０７や用紙・設定ボタン４０８で指示された印刷モードや選択画像、用紙・印刷設定で、メモリカード内の画像データの印刷を行う。
【００３９】
４０４は印刷中止ボタンで、ダイレクトプリントのプリント処理を中止する際に指示される。
【００４０】
４０５は拡大・縮小ボタンで、液晶パネル４０６に表示される画像の拡大表示を行う際に指示される。
【００４１】
４０６は液晶パネルで、該液晶パネル４０６に表示される画像や設定項目をユーザが確認しながら、選択決定ボタン４０２を操作することにより、表示画像の閲覧や、印刷画像の選択や、印刷モード等の設定、撮影場所情報の選択・入力ができるように構成されている。
【００４２】
４０７はメニューボタンで、印刷モード、例えば全画像印刷モード、画像指定印刷モード、インデックス印刷モード、レイアウト印刷モードの選択を行う選択画面を液晶パネル４０６に表示する際に指示される。メニューボタン４０７の指示によって表示された印刷モードの選択画面において、選択決定ボタン４０２を指示することにより印刷モードの選択を行うことが可能な構成になっている。図５（ａ）は、上記印刷モードの選択を行う際に液晶パネル４０６に表示される選択画面の一例を示す図である。
【００４３】
４０８は用紙・設定ボタンで、用紙サイズ、用紙種類、印刷品位、日付位置、撮影場所情報印刷位置選択等の各種の項目の選択を行う選択画面を液晶パネル４０６に表示する際に指示される。用紙設定ボタン４０８の指示によって表示された用紙等の各種設定の選択画面において、選択決定ボタン４０２を指示することにより各種設定の選択を行うことが可能な構成になっている。図５（ｂ）は、用紙等の各種設定の選択を行う際に液晶パネル４０６に表示される選択画面の一つである用紙サイズの選択画面の一例を示す図である。
【００４４】
４０９は撮影場所情報ボタンで、画像データに付加された位置情報に対応した撮影場所情報（文字列）を表示・登録する際のモードに移行する際に指示される。撮影場所情報ボタン４０９の指示によって表示された文字入力画面において、選択決定ボタン４０２を指示することにより撮影場所情報（文字列）の入力を行うことが可能な構成になっている。
【００４５】
以下、本実施形態のプリンタにおける撮影場所情報に関する各種機能について説明する。
【００４６】
〔１．撮影場所情報の表示機能〕
本実施形態のプリンタにおける撮影場所情報の表示機能について説明する。図６は、撮影場所情報の表示機能、および、後述する２．撮影場所情報の登録機能の処理フローを示す図である。
【００４７】
液晶パネル４０６および選択決定ボタン４０２により、撮影場所情報を表示したい画像を選択し、撮影場所情報ボタン４０９を指示する。メモリカードコントローラ部３０５は、画像データからＥｘｉｆフォーマットのＧＰＳディレクトリ・タグより位置情報を読み出す（Ｓ６０１）。位置情報が存在すれば、例えば、
ＧＰＳＬａｔｉｔｕｄｅＲｅｆ：Ｎ
ＧＰＳＬａｔｉｔｕｄｅ：３５／１，３３／１，５０００／１００
ＧＰＳＬｏｎｇｉｔｕｄｅＲｅｆ：Ｅ
ＧＰＳＬｏｎｇｉｔｕｄｅ：１３９／１，４１／１，７００／１００
のような緯度・経度情報を読み出すことができる。
【００４８】
位置情報検索部３０８は、読み出した緯度・経度情報を用い、位置情報データベース３０９より地名やランドマーク名などの撮影場所情報を取得する（Ｓ６０２）。上記の緯度・経度情報の場合は「東京都大田区下丸子３丁目」の撮影場所情報が取得できる。
【００４９】
位置情報検索部３０８は、取得した撮影場所情報を液晶パネル４０６に表示する（Ｓ６０３）。上記例の場合は、図８（ａ）のように「東京都大田区下丸子３丁目」の撮影場所情報が表示される。
【００５０】
また、位置情報検索部３０８は、撮影場所情報登録部３１０も検索し（Ｓ６０２）、画像データの緯度・経度情報が撮影場所情報登録部３１０に登録されている緯度・経度情報の近傍にあたる場合、緯度・経度情報に対応付けて登録されている撮影場所情報も併せて表示する（Ｓ６０３）。例えば、上記緯度・経度情報に対し「会社」という撮影場所が登録されている場合、図８（ｂ）のように「東京都大田区下丸子３丁目」「会社」の２つの撮影場所情報が表示される。
【００５１】
撮影場所情報表示状態において、選択決定ボタン４０２の決定ボタンを指示することで、選択画像の表示画面に戻る（Ｓ６０５）。また、再度、撮影場所情報ボタン４０９を指示すると（Ｓ６０６）、撮影場所入力モードに移行する（Ｓ６０７）（詳細は〔２．撮影場所情報の登録機能〕で説明）。
【００５２】
また、画像データに位置情報が存在しない場合、液晶パネル４０６に「この画像にはＧＰＳ位置情報が存在しません」のメッセージを表示し（Ｓ６０４）、選択画像の表示画面に戻る。
【００５３】
〔２．撮影場所情報の登録機能〕
上記１．の撮影場所情報表示状態（図８（ａ））において、撮影場所情報ボタン４０９を指示すると、撮影場所入力モードに移行し（Ｓ６０７）、文字入力画面が液晶パネル４０６に表示される。
【００５４】
この画面において、選択決定ボタン４０２の上下左右・決定ボタンやその他のボタンを用い、任意の撮影場所情報（例えば、「会社」）を入力する。
【００５５】
再度、撮影場所情報ボタン４０９を指示する（Ｓ６０８）と、撮影場所情報登録部３１０は、入力した撮影場所情報を画像データの緯度・経度情報とともに不揮発性メモリ（ＥＥＰＲＯＭ）２０５に登録する（Ｓ６０９）。
【００５６】
上記１．の緯度・経度情報の場合は、図９の１行目のように、
Ｅ，１３９，４１，０７００，Ｎ，３５，３３，５０００，“会社”
と登録される。
【００５７】
以降に、この画像データや不揮発性メモリ（ＥＥＰＲＯＭ）２０５に登録されている緯度・経度情報の近傍にあたる位置情報を持つ画像データの印刷や撮影場所表示する場合は、位置情報データベース３０９より取得した撮影場所情報とともに、不揮発性メモリ（ＥＥＰＲＯＭ）２０５に登録されている撮影場所情報も併せて印刷・表示を行う。
【００５８】
〔３．撮影場所情報の印刷位置選択機能〕
用紙設定ボタン４０８を指示し、撮影場所情報位置のタブを選択すると、撮影場所情報の印刷位置選択画面（図５（ｃ））が表示される。撮影場所情報の印刷位置として、「右下」「左下」「右上」「左上」「印刷しない」のいずれかを、選択決定ボタン４０２の操作により選択し決定することができる。図１０の印刷結果の例は、印刷位置「右下」を選択した場合の印字結果である。
【００５９】
〔４．撮影場所情報の印刷機能〕
本実施形態のプリンタにおける撮影場所情報の印刷機能について説明する。図７は、撮影場所情報の印刷機能、および、後述する５．撮影場所情報の選択機能の処理フローを示す図である。
【００６０】
液晶パネル４０６および選択決定ボタン４０２により、印刷したい画像を選択し、印刷開始ボタン４０３を指示する。メモリカードコントローラ部３０５は、画像データからＥｘｉｆフォーマットのＧＰＳディレクトリ・タグより緯度・経度情報を読み出す（Ｓ７０１）。
【００６１】
画像データに位置情報が存在しない場合は、ダイレクトプリントコントローラ部３０４は、メモリカードコントローラ部３０５から読み出された画像データから印刷データを生成し（Ｓ７０９）、印刷処理を実行する（Ｓ７１０）。
【００６２】
位置情報検索部３０８は、読み出した緯度・経度情報を用い、位置情報データベース３０９より地名やランドマーク名などの撮影場所情報を取得する（Ｓ７０２）。上記１．の緯度・経度情報の場合は「東京都大田区下丸子３丁目」の撮影場所情報が取得できる。位置情報検索部３０８は、取得した撮影場所情報を液晶パネル４０６に表示する（Ｓ７０３）。
【００６３】
また、位置情報検索部３０８は、撮影場所情報登録部３１０も検索し（Ｓ７０２）、画像データの緯度・経度情報が撮影場所情報登録部３１０に登録されている緯度・経度情報の近傍にあたる場合には、登録されている撮影場所情報も併せて表示する（Ｓ７０３）。
【００６４】
例えば、上記緯度・経度情報に対し「会社」という撮影場所が登録されている場合は、図８（ｂ）のように「東京都大田区下丸子３丁目」「会社」の２つの撮影場所情報が表示される。
【００６５】
ここで、選択決定ボタン４０２の決定ボタンを指示することにより（Ｓ７０４）、画像データと表示された撮影場所情報（「東京都大田区下丸子３丁目」「会社」）から印刷データを生成し、印刷処理を実行する。
【００６６】
ダイレクトプリントコントローラ部３０４は、メモリカードコントローラ部３０５から読み出された画像データと、位置情報検索部３０８で取得した撮影場所情報から印刷データを生成し（Ｓ７０８）、プリンタエンジン部３０３において印刷処理を実行する（Ｓ７１０）。
【００６７】
図１０は、印刷結果の例を示す図である。
【００６８】
〔５．撮影場所情報の選択機能〕
上記４．の手順と同様に、画像を選択し印刷開始ボタン４０３を指示すると、画像データから位置情報を読み出し（Ｓ７０１）、画像データに位置情報が存在する場合、位置情報データベース３０９および撮影場所情報登録部３１０より撮影場所情報を取得し（Ｓ７０２）、液晶パネル４０６に表示する（Ｓ７０３）（図８（ｂ））。
【００６９】
この状態において、撮影位置情報を変更したい場合は、選択決定ボタン４０２の上下左右ボタンを指示する（Ｓ７０５）ことにより撮影場所情報選択モードに移行する（Ｓ７０６）。撮影場所情報選択モードでは、選択決定ボタン４０２の上下左右ボタンを指示することにより所望の文字列を選択する。複数存在する撮影位置情報を選択する場合は、選択決定ボタン４０２の上下ボタンを用いて選択を行う。また、撮影位置情報の文字列のうち一部を選択する場合は、選択決定ボタン４０２の左右ボタンを用いて選択を行う（Ｓ７０６）。
【００７０】
例えば、図８（ｂ）の状態で選択決定ボタン４０２の上ボタンが指示された場合、図８（ｃ）のように、１番目の撮影場所情報（「東京都大田区下丸子３丁目」）が反転表示され、選択された状態に切り替わる。
【００７１】
さらに、図８（ｃ）の状態で選択決定ボタン４０２の下ボタンが指示された場合、図８（ｄ）のように、選択された撮影場所情報が次の項目（「会社」）に切り替わる。
【００７２】
また、図８（ｃ）の状態で選択決定ボタン４０２の右ボタンが指示された場合は、図８（ｅ）のように、選択された文字列の開始位置が１文字分ずれる。この左右ボタンを複数回操作することによって、図８（ｆ）のように、任意の文字列（「下丸子」）を選択することが可能となる。
【００７３】
このようにして選択した撮影場所情報（例えば「下丸子」）で印刷を行いたい場合は、選択決定ボタン４０２の決定ボタンを指示する（Ｓ７０７）ことにより、画像データと選択した撮影場所情報から印刷データを生成し（Ｓ７０８）、印刷処理を実行する（Ｓ７１０）。
【図面の簡単な説明】
【００７４】
【図１】本発明の一実施形態を示すプリンタの一例を示す図である。
【図２】本発明の一実施形態を示すプリンタにおける構成を説明するブロック図である。
【図３】図２に示したプリンタにおけるデータ処理構成を示すブロック図である。
【図４】図１に示したプリンタの操作パネルの詳細構成を説明する平面図である。
【図５】本発明に係るプリンタの液晶パネルによる表示の一例を示す図である。
【図６】本発明に係るプリンタにおけるデータ処理手順の一例を示すフローチャートである。
【図７】本発明に係るプリンタにおけるデータ処理手順の一例を示すフローチャートである。
【図８】本発明に係るプリンタの液晶パネルによる表示の一例を示す図である。
【図９】本発明に係るプリンタにおける撮影場所情報登録の一例を示す図である。
【図１０】本発明に係る印刷結果の一例を示す図である。
【符号の説明】
【００７５】
１００  ダイレクトプリンタ
１０１  メモリカードスロット
１０２  操作パネル
１０３  液晶パネル
【図１】
2006148538.tif 000003
【図２】
2006148538.tif 000004
【図３】
2006148538.tif 000005
【図５】
2006148538.tif 000006
【図６】
2006148538.tif 000007
【図７】
2006148538.tif 000008
【図８】
2006148538.tif 000009
【図９】
2006148538.tif 000010
【図４】
2006148538.tif 000011
【図１０】
2006148538.tif 000012